(57)【特許請求の範囲】
【請求項１】
マイナスイオンを発生させるとともに、遠赤外線および極微量の放射線を放出する高分子樹脂組成物を下面に有するひさし部と、
上記ひさし部に接続され、このひさし部を額部に装着させるための装着部とを備え、前記高分子樹脂組成物には、ラドンやトロンを含む天然放射性稀有元素鉱物が混合されていることを特徴とする額部装着体
【請求項２】
上記ひさし部の側端部に接続され、上記高分子樹脂組成物を内側面に有する一対の側面部をさらに備えた請求項１に記載の額部装着体。
【請求項３】
上記放射線の放出線量が、１．０μＳｖ／時以下である請求項１または請求項２に記載の額部装着体。
【発明の詳細な説明】
【０００１】
【発明の属する技術分野】
本発明は、帽子やバイザー等の額部に装着する額部装着体に関し、特にマイナスイオンを発生させる額部装着体に関するものである。
【０００２】
【従来の技術】
近年、パソコンやワープロ等の情報機器を長時間にわたって使用したり、自動車の運転を長時間したりすることにより眼の疲労を訴える人が増えている。また、環境汚染等によって咳き込むことも多くなっている。このようなことから、眼の疲労を回復させるための冷却式のアイマスク等が提案されている。
【０００３】
ところで、森の中や滝の近くでは、空気中にマイナスイオンが２０００〜３０００ｉｏｎｓ／ｃｃ程度含まれており、このマイナスイオンが生命体に対して好影響を与えるとされている。このようなことから、マイナスイオンを発生させるために、頭皮や毛髪等に直接当たる部分に粉末状のトルマリンを含有させた帽子も提案されている。この帽子は、トルマリンの温度を頭皮や毛髪等から伝わる体温により上昇させることによって、マイナスイオンを発生させて使用者の気分を落ち着かせようとするものである。また、目の部分をくりぬいたマイナスイオンを発生させるアイマスクも提案されている。
【０００４】
【発明が解決しようとする課題】
しかしながら、上記冷却式のアイマスクでは、装着した状態では本を読んだり、自動車を運転したりといったことはできない等、日常の生活行動には制約があり、装着時間も短時間となっていた。また、目の部分をくりぬいたアイマスクは、使用する場所が制限され、生活の利便性に欠けていた。
また、上記トルマリンを含有させた帽子では、トルマリンの温度を上昇させることによってマイナスイオンを発生させているため、頭皮や毛髪等に直接当たる部分に粉末状のトルマリンを含有させる必要があった。このため、マイナスイオンが効果的に発生し難く、あまり効果が期待できるものではなかった。
本発明は上記の事情に鑑みて提案されたものであって、眼の疲れの防止、咳の緩和を行い、また、身体の血行をよくして健康を維持することができる額部装着体を提供することを目的とする。
【０００５】
【課題を解決するための手段】
本発明は上記目的を達成するために以下の手段を採用している。すなわち、マイナスイオンを発生させるとともに、遠赤外線および極微量の放射線を放出する高分子樹脂組成物を下面に有するひさし部と、上記ひさし部に接続され、このひさし部を額部に装着させるための装着部とを備え、前記高分子樹脂組成物には、ラドンやトロンを含む天然放射性稀有元素鉱物が混合されているという手段を採用している（請求項１）。
【０００６】
このように構成された額部装着体では、上記ひさし部の下面に上記高分子樹脂組成物を有しているので、発生させたマイナスイオンを使用者の顔前に効率よく集中させることができる。すなわち、一般にマイナスイオンは上方に飛散する性質があるが、上記ひさし部によりマイナスイオンの上方への飛散は抑制されて、使用者の顔前に滞留することになる。これによって、眼、口、鼻から効率よく豊富なマイナスイオンを身体に取り入れることができる。また同時に、上記高分子樹脂組成物より放出される遠赤外線および極微量の放射線も受けることができる。また、上記高分子樹脂組成物は、上記天然放射性稀有元素鉱物から放出されるアルファー線、ベータ線、ガンマー線により、静置状態においても大量のマイナスイオンを発生させるので、装着時に温度上昇させる必要もなく、効率よくマイナスイオンを発生させることができる。
【０００７】
上記ひさし部の側端部に接続され、上記高分子樹脂組成物を内側面に有する一対の側面部をさらに備えることが好ましい（請求項２）。
この場合、上記側面部の内側面にも上記高分子樹脂組成物を有しているので、マイナスイオンを多量に発生させることができる。また、上記側面部によりマイナスイオンの飛散はより効果的に抑制されて、発生させたマイナスイオンを使用者の顔前により効率よく集中させることができる。
【０００８】
上記放射線の放出線量は、１．０μＳｖ／時以下であることが好ましい（請求項３）。
この場合、上記放射線の放出線量が極微量であるので、放出される上記放射線によって、人体等に悪影響が及ぼされることはない。
【０００９】
【発明の実施の形態】
図１は本発明に係る額部装着体の一実施の形態を示す斜視図であり、図２はこの額部装着体の装着状態を示す斜視図である。以下、図に基づいてこの額部装着体について説明する。
額部装着体１は、図１および図２に示すように使用者の額部の前方に突出されるひさし部２と、このひさし部２の側端部に接続される一対の側面部４と、上記ひさし部２に接続され、このひさし部２を使用者の額部に装着させるための装着部３とを備えている。ひさし部２の下面および側面部４の内側面は、マイナスイオンを発生させるとともに、遠赤外線および極微量の放射線を放出する高分子樹脂組成物Ａを練り込ませた繊維の布地で作成されている。装着部３は、帯状の布地や樹脂等で円形に形成され、頭部に巻回して装着するように構成されている。なお、この装着部３は円形でなくとも、例えばひさし部２の反対側で分割されていても構わない。
【００１０】
上記高分子樹脂組成物Ａは、ラドン（−２２２）やトロン（ラドン−２２０）を含む天然放射性稀有元素鉱物の微粉末と、遠赤外線セラミックと、高分子樹脂を混合し固着させている。上記天然放射性稀有元素鉱物は、例えばモナズ石、バストネス石等といった鉱物で、放射線の放出線量は、人体等に悪影響を及ぼさないとされる１．０μＳｖ／時以下の鉱物である。
上記天然放射性稀有元素鉱物から放出されるアルファー線、ベータ線、ガンマー線のエネルギーにより原子や分子をラジカル化したり、電離作用でイオン対を発生したりする。この結果生じる化学反応や放射線による二次放射線やイオン対によりマイナスイオンが発生する。この時、プラスイオンも発生するが、上記遠赤外線セラミックがマイナスイオンの放出を励起することにより、マイナスイオンが大量に発生する。
【００１１】
このように、上記額部装着体１では、ひさし部２の下面および側面部４の内側面に上記高分子樹脂組成物Ａを有しているので、発生させたマイナスイオンを使用者の顔前に効率よく集中させることができる。これによって、眼、口、鼻から効率よく豊富なマイナスイオンを身体に取り入れることができる。
このように豊富なマイナスイオンを効率よく身体に取り入れることによって、眼の疲労防止や鎮咳等の効果がもたらされ、さらに鎮痛、制汗、血圧降下、爽快感、抗菌、防臭等の効果も享受することもできる。
【００１２】
また、上記高分子樹脂組成物Ａより放出される極微量の放射線によって、ラドンやトロンの温泉浴と同じように、疾病への抵抗力が増加し、新陳代謝が促進するホルミシス効果を受けることができる。
また、上記高分子樹脂組成物Ａより放出される遠赤外線によって、血行の促進、鎮痛、新陳代謝の促進等の治癒的効果を受けることができる。
以上のようなマイナスイオン、遠赤外線および極微量の放射線によるそれぞれの効果が複合的に作用することで、身体の血行を促進し、眼の疲れや咳の緩和を行い、心身の状態を整え、疲労を防止でき、爽快な気分とリラックス感が得られる。
【００１３】
なお、本実施の形態では、ひさし部２の下面および側面部４の内側面を、高分子樹脂組成物Ａを練り込ませた繊維の布地で作成しているが、これに限られるものではなく、例えばひさし部の下面および側面部４の内側面に、高分子樹脂組成物Ａのシートを固着することできる。また、高分子樹脂組成物Ａを練り込ませた繊維の布地や、高分子樹脂組成物Ａのシート等を設ける表面積は大きいほど効果は大きくなる。
また、本実施の形態では、上記側面部４を備える構成としているが、この側面部４を備えない構成とすることも可能である。
さらに、本実施の形態では、額部装着体１はバイザーであるが、これに限られるものではなく、例えば帽子等であってもよく、額部に装着するものであればどのようなものであっても構わない。
【００１４】
【発明の効果】
以上のように、本発明に係る額部装着体では、上記ひさし部の下面に上記高分子樹脂組成物を有しているので、発生させたマイナスイオンを使用者の顔前に効率よく集中させることができる。これによって、眼、口、鼻から効率よく豊富なマイナスイオンを身体に取り入れることができる。また同時に、上記高分子樹脂組成物より放出される遠赤外線および極微量の放射線も受けることができる。また、上記天然放射性稀有元素鉱物から放出されるアルファー線、ベータ線、ガンマー線によりマイナスイオンが大量に発生する。これらマイナスイオンによる効果、遠赤外線による治癒的効果および極微量の放射線によるホルミシス効果それぞれが複合的に作用することで、身体の血行を促進し、眼の疲れや咳の緩和を行い、心身の状態を整え、疲労を防止でき、爽快な気分とリラックス感が得られる。
【００１５】
また、上記側面部をさらに備えた場合、この側面部の内側面にも上記高分子樹脂組成物を有しているので、マイナスイオンを多量に発生させることができる。また、上記側面部によりマイナスイオンの飛散はより効果的に抑制されて、発生させたマイナスイオンを使用者の顔前により効率よく集中させることができる。また、上記放射線の放出線量は、１．０μＳｖ／時以下とすることで、放出される上記放射線によって、人体等に悪影響が及ぼされることはない。
【図面の簡単な説明】
【図１】本発明に係る額部装着体の一実施の形態を示す斜視図である。
【図２】上記額部装着体の装着状態を示す斜視図である。
【符号の説明】
Ａ    高分子樹脂組成物
１    額部装着体
２    ひさし部
３    装着部
４    側面部
【図１】
0003730542.tif 000002
【図２】
0003730542.tif 000003